(57)【要約】聴覚検査システムであって、ユーザが複数の音のタイプから被験者への伝搬のための検査音の所望の音のタイプを選択し、かつ複数のコンピュータ・ベースの入力イベントから前記検査音への被験者応答を登録するための所望のコンピュータ・ベースの入力イベントを選択するための視覚表示を備えるコンピュータシステムを備える、聴覚検査システム。【選択図】図１Ａ
2017529198.tif 000002
【特許請求の範囲】
【請求項１】
聴覚検査システムであって、
ユーザが複数の音のタイプから被験者への伝搬のための検査音の所望の音のタイプを選択し、かつ複数のコンピュータ・ベースの入力イベントから前記検査音への被験者応答を登録するための所望のコンピュータ・ベースの入力イベントを選択するための視覚表示を備えるコンピュータシステム
を備える、聴覚検査システム。
【請求項２】
前記視覚表示は、ユーザに第１の複数のアイコンを提供し、各アイコンは、音のタイプを表し、前記ユーザは、前記被験者への伝搬のための前記検査音の前記所望の音のタイプを選択するためにそのアイコンを操作する、請求項１に記載の聴覚検査システム。
【請求項３】
前記視覚表示は、前記ユーザに第２の複数のアイコンを提供し、各アイコンは、前記検査音への被験者応答を登録するためのコンピュータ・ベースの入力イベントを表し、前記ユーザは、前記所望の入力イベントを選択するためにその第２の複数のアイコンから操作する、請求項１または請求項２に記載の聴覚検査システム。
【請求項４】
前記ユーザのアイコン操作は、所望のアイコンを選択を示す前記表示上の位置へドラッグすること、所望のアイコンをマウスでクリックすること、所望のアイコンを前記マウスでダブルクリックすること、所望のアイコンによって占有されたタッチスクリーンの領域をタップすること、所望のアイコンによって占有された前記タッチスクリーンの領域をダブルタップすること、所望のアイコンの隣のチェックボックスを前記マウスでクリックすること、所望のアイコンの隣のチェックボックスによって占有された前記タッチスクリーンの領域をタップすることからなる群から選択される、請求項２または請求項３に記載の聴覚検査システム。
【請求項５】
前記コンピュータシステムは、前記ユーザによって選択された前記所望の音のタイプおよび／または所望の入力イベントをエンコードする検査ファイルを作成する、請求項１〜４のいずれか一項に記載の聴覚検査システム。
【請求項６】
前記コンピュータシステムは、分散システムである、請求項５に記載の聴覚検査システム。
【請求項７】
前記コンピュータシステムは、
前記視覚表示を生成する第１のコンピュータデバイス、および
前記検査ファイルを格納する検査ファイル・データベース
を備える、請求項６に記載の聴覚検査システム。
【請求項８】
前記検査ファイル・データベースは、前記第１のコンピュータデバイスに対して遠隔位置にある、請求項７に記載の聴覚検査システム。
【請求項９】
前記被験者へ前記検査ファイルにおいて定義されるような前記検査音を伝えるための音響システム、および
検査音のシーケンスへの前記被験者の応答を、前記検査ファイルにおいて定義された前記入力イベントに従って、登録するための検査応答システム
をさらに備える、請求項６に記載の聴覚検査システム。
【請求項１０】
聴覚検査システムであって、
被験者への伝搬のための検査音の所望の音のタイプと、前記検査音への被験者応答を登録するための所望のコンピュータ・ベースの入力イベントとをエンコードする検査ファイルを格納する検査ファイル・データベース、
前記検査ファイルにおいて定義されるような前記検査音を前記被験者へ伝えるための音響システム、ならびに
検査音のシーケンスへの前記被験者の応答を、前記検査ファイルにおいて定義された前記入力イベントに従って、登録するための検査応答システム
を備える、聴覚検査システム。
【請求項１１】
前記音響システムは、イヤフォン、インサートイヤフォン、骨伝導振動子およびオープンフィールド・スピーカからなる群からの少なくとも１つの選択を備える、請求項９または請求項１０に記載の聴覚検査システム。
【請求項１２】
前記検査応答システムは、キーボード、マウス、タッチスクリーン、マイクロフォン、カメラおよびジェスチャ認識システムからなる群からの少なくとも１つのコンピュータ入力デバイスを備える、請求項９または請求項１０に記載の聴覚検査システム。
【請求項１３】
前記音響システムおよび前記検査応答は、前記検査ファイル・データベースに対して遠隔位置にある、請求項９または請求項１０に記載の聴覚検査システム。
【請求項１４】
前記音響システムおよび前記検査応答システムは、第２のコンピュータデバイスに収容されるか、またはそれに作動的に接続された、請求項９または請求項１０に記載の聴覚検査システム。
【請求項１５】
前記音響システムは、第２のコンピュータデバイスに作動的に接続され、前記検査応答システムは、第３のコンピュータデバイスに収容されるか、またはそれに作動的に接続された、請求項９または請求項１０に記載の聴覚検査システム。
【請求項１６】
前記第３のコンピュータデバイスは、ポータブルコンピュータデバイスである、請求項１５に記載の聴覚検査システム。
【請求項１７】
前記ポータブルコンピュータデバイスは、タブレットコンピュータ、ハンドヘルドコンピュータおよびスマートフォンからなる群から選択される、請求項１６に記載の聴覚検査システム。
【請求項１８】
前記所望の音のタイプは、雑音、純音、震音、発声語または発声音素からなる群から選択される、請求項１〜１７のいずれか一項に記載の聴覚検査システム。
【請求項１９】
複数の所望の音のタイプが選択される場合には、前記所望の検査音は、前記複数の選択された音のタイプの各々にそれぞれ対応する複数の検査音を備える、請求項１８に記載の聴覚検査システム。
【請求項２０】
前記所望の入力イベントは、提示された検査音に関する質問への回答を提供することを備える、請求項１〜１９のいずれか一項に記載の聴覚検査システム。
【請求項２１】
前記回答は、前記被験者を観察する人によって提供され、前記回答を提供することは、前記提示された検査音の前記被験者の特徴付けが参照の特徴付けと一致するか否かを回答すること、および前記被験者が前記提示された検査音を知覚したか否かを回答することからなる群から選択される、請求項２０に記載の聴覚検査システム。
【請求項２２】
前記回答は、前記被験者によって提供され、前記回答を提供することは、前記検査音の特徴付けを可能な特徴付けの多肢選択から選択すること、前記検査音の特徴付けをテキストフィールドに入力すること、前記提示された検査音が知覚されたか否かを示すアイコンを選択することからなる群から選択される、請求項２０に記載の聴覚検査システム。
【請求項２３】
前記所望の入力イベントは、前記提示された検査音の提示時間と前記質問の前記回答のための応答時間との間の時間の遅延を記録することを備える、請求項２２に記載の聴覚検査システム。
【請求項２４】
前記所望の入力イベントは、前記提示された検査音への前記被験者の応答のオーディオまたはビデオ記録を備える、請求項１〜２３のいずれか一項に記載の聴覚検査システム。
【請求項２５】
前記所望の入力イベントは、被験者の応答と関連付けられた前記記録から特徴を自動的に検出するためのジェスチャ認識システムをさらに備える、請求項２４に記載の聴覚検査システム。
【請求項２６】
前記検査音は、シーケンスにおいて複数回伝えられるように定義され、前記シーケンスにおいて後の方で伝えられる検査音のパラメータは、前記シーケンスにおいて前の方で伝えられた検査音への被験者応答に対して応答する、請求項１〜２５のいずれか一項に記載の聴覚検査システム。
【請求項２７】
前記被験者応答は、前記検査音が知覚されたか否かを示し、前記被験者応答に対して応答する前記検査音の前記パラメータは、前記検査音の強さである、請求項２６に記載の聴覚検査システム。
【請求項２８】
前記被験者応答は、前記検査音の知覚された音源が前記被験者の右または左に位置するかどうかを示し、前記検査音の前記パラメータは、右耳へ伝えられた前記検査音の前記強さに比べた左耳へ伝えられた前記検査音の前記強さである、請求項２６に記載の聴覚検査システム。
【請求項２９】
前記被験者応答は、発声語を正しくまたは誤って識別し、前記検査音の前記パラメータは、背景雑音の前記強さに比べた前記発声語の前記強さである、請求項２６に記載の聴覚検査システム。
【請求項３０】
聴覚検査を定義するコンピュータ・ベースの方法であって、前記方法は、
視覚表示上に表示された複数の音のタイプから被験者への伝搬のための検査音の所望の音のタイプを選択するステップと、
前記視覚表示上に表示された複数のコンピュータ・ベースの入力イベントから前記検査音への被験者応答を登録するための所望のコンピュータ・ベースの入力イベントを選択するステップと
を備える、方法。
【請求項３１】
前記所望の音のタイプを選択するステップは、
第１の複数のアイコンを備える前記視覚表示を生成するために命令セットにアクセスするステップであって、各アイコンは、被験者へ伝えるための検査音を定義する音のタイプを表す、ステップと、
所望の音のタイプを選択して前記検査音を定義するために、前記第１の複数のアイコンから前記所望の音のタイプを表す少なくとも１つのアイコンを操作するステップと、
を備える、請求項３０に記載の方法。
【請求項３２】
前記所望のコンピュータ・ベースの入力イベントを選択するステップは、
前記視覚表示に第２の複数のアイコンを生成するために前記命令セットにアクセスするステップであって、各アイコンは、入力イベントを表す、ステップと、
前記第２の複数のアイコンから所望の入力イベントを表す少なくとも１つのアイコンを操作するステップと
を備える、請求項３０または請求項３１に記載の方法。
【請求項３３】
前記１つ以上の所望のアイコンの前記操作は、所望のアイコンを選択を示す前記表示上の位置へドラッグするステップ、所望のアイコンをマウスでクリックするステップ、所望のアイコンを前記マウスでダブルクリックするステップ、所望のアイコンによって占有されたタッチスクリーンの領域をタップするステップ、所望のアイコンによって占有された前記タッチスクリーンの領域をダブルタップするステップ、所望のアイコンの隣のチェックボックスを前記マウスでクリックするステップ、所望のアイコンの隣のチェックボックスによって占有された前記タッチスクリーン領域をタップするステップからなる群から選択された動作を備える、請求項３１または請求項３２に記載の方法。
【請求項３４】
前記所望の音のカテゴリは、雑音、純音、震音、発声語、または発声音素からなる群から選択される、請求項３０〜３３のいずれか一項に記載の方法。
【請求項３５】
複数の所望の音のカテゴリが選択される場合には、前記検査音は、前記複数の選択される音のカテゴリにそれぞれ対応する複数の検査音を備える、請求項３４に記載の方法。
【請求項３６】
前記所望の入力イベントは、伝えられた検査音に関する質問への回答を前記被験者または前記被験者を観察する人によって提供するステップを備える、請求項３０〜３５のいずれか一項に記載の方法。
【請求項３７】
前記回答は、前記被験者を観察する人によって提供され、前記回答を前記提供するステップは、提示された検査音の前記被験者の特徴付けが参照の特徴付けと一致するか否かを回答するステップ、および前記被験者が前記提示された検査音を知覚したか否かを回答するステップからなる群から選択される、請求項３６に記載の方法。
【請求項３８】
前記回答は、前記被験者によって提供されて、前記検査音の特徴付けを可能な特徴付けの多肢選択から選択するステップ、前記検査音の特徴付けをテキストフィールドに入力するステップ、提示された検査音が知覚されたか否かを示すアイコンを選択するステップからなる群から選択される、請求項３６に記載の方法。
【請求項３９】
前記入力イベントは、前記検査音の提示時間と前記質問の前記回答のための応答時間との間の時間の遅延を記録するステップをさらに備える、請求項３８に記載の方法。
【請求項４０】
前記入力イベントは、前記提示された検査音への前記被験者の応答のオーディオまたはビデオ記録を備える、請求項３０〜３９のいずれか一項に記載の方法。
【請求項４１】
前記入力イベントは、被験者の応答と関連付けられた前記記録から特徴を自動的に検出ステップをさらに備える、請求項４０に記載の方法。
【請求項４２】
前記ユーザは、前記検査音をシーケンスにおいて複数回伝えられるように定義し、前記シーケンスにおいて後の方で伝えられる検査音のパラメータを前記シーケンスにおいて前の方で伝えられた検査音への被験者応答に対して応答するように定義する、請求項３０〜４１のいずれか一項に記載の方法。
【請求項４３】
前記被験者応答は、前記検査音が知覚されたか否かを示し、前記被験者応答に対して応答する前記検査音の前記パラメータは、前記検査音の強さである、請求項４２に記載の方法。
【請求項４４】
前記被験者応答は、前記検査音の知覚された音源が前記被験者の右または左に位置するかどうかを示し、前記検査音の前記パラメータは、右耳へ伝えられた前記検査音の前記強さに比べた左耳へ伝えられる前記検査音の前記強さである、請求項４２に記載の方法。
【請求項４５】
前記被験者応答は、発声語を正しくまたは誤って識別し、前記検査音の前記パラメータは、背景雑音の前記強さに比べた前記発声語の前記強さである、請求項４２に記載の方法。
【発明の詳細な説明】
【技術分野】
【０００１】
関連出願
本出願は、その開示が参照により本明細書に組み込まれる、２０１４年８月１４日出願の米国特許仮出願第６２／０３７，１４９号の合衆国法典第３５巻１１９条（ｅ）の下での利益を主張する。
【０００２】
本発明の分野
本発明の実施形態は、聴力検査を定義して実行することに関する。
【背景技術】
【０００３】
聴覚検査、あるいは聴力検査は、聴覚の鋭さを測定するための検査であり、一般に、被験者に対して聴力測定器を用いて実施される。聴力測定器は、明確に定義されたパラメータを有する音（「検査音」）のセットを提供するように構成され、これらの音は、被験者が応答するように促される刺激として被験者に提示される。検査音は、例えば、イヤフォン、インサートイヤフォン、骨伝導振動子、および／またはオープンフィールド・スピーカによって生成されてもよい。聴力検査は、ある周波数範囲内の複数の周波数の各々における可聴性の閾値（被験者にかろうじて聞こえる音の強さ）と、異なる音の強さまたは異なる音の周波数を区別して、語音を認識するかまたは語音を背景雑音から区別する能力とを含めて、聴覚の鋭さに関する様々なパラメータのうちの１つ以上を測定してもよい。検査音は、例として、特定の周波数および特定の強さによって特徴付けられた純音を備えてもよい。別の例では、検査音は、２つ以上の純音の組み合わせである複合音を備えてもよい。複合音は、実質的に連続的な周波数スペクトルによって特徴付けられてもよい。複合音は、随意的に自然音または音声であってもよい。
【０００４】
聴力検査手順は、典型的に、一連の検査音の提示と、それに続く提示された検査音への被験者の応答を登録するステップとを含む。被験者の聴覚の評価を作り出すために検査音への被験者の応答が記録されて解析される。被験者応答は、例として、検査音を知覚したという被験者の確認、可聴音がもはや聞こえないという被験者の指示、または検査音が不快感を生み出したか否かの被験者の評価であってもよい。代替的あるいは追加的に、被験者応答は、例として、提示された検査音の１つ以上の態様の被験者による正しい識別も含んでよい。例えば、被験者に、本明細書では包括的に「単語」と呼ばれてもよい、話される単語、文またはロガトムである音声検査音が提示されてもよい。被験者は、提示された単語を正しく繰り返すか、またはコンピュータ・スクリーン上で被験者に提供された選択から正しい単語を選択することによって応答してもよい。代替的あるいは追加的に、被験者に２つの同様の検査音が提示されて、例として、ピッチが高いかまたは低い、単語が異なる、強さが大きいかまたは穏やか、音の音源の見かけの位置が異なることを含めて検査音間の違いを特徴付けるように求められてもよい。
【発明の概要】
【０００５】
本発明の一実施形態の態様は、オーディオロジストが被験者の聴覚を検査するために様々な聴覚検査のいずれか１つ以上を比較的容易に定義し、および／または用いることを可能にする、以下に「Ａｕｄｙｘ」とも呼ばれる、システムを提供することに関する。
【０００６】
Ａｕｄｙｘは、非一時的なコンピュータ可読媒体に格納された命令セットを含むか、またはそれにアクセスできるコンピュータシステム（以下、「Ａｕｄｙｘコンピュータシステム」）を随意的に備え、Ａｕｄｙｘコンピュータシステムは、この命令セットを実行して表示スクリーン上に視覚表示（「検査構成用表示」）を生成する。オーディオロジストは、被験者に伝えるための所望の検査音または検査音のシーケンスを有し、かつ検査音への被験者応答を登録するための所望の入力イベントを随意的に有する聴覚検査を定義するために検査構成用表示を操作してもよい。提示の便宜上、Ａｕｄｙｘを用いて定義された聴覚検査が「Ａｕｄｙｘ聴覚検査」と呼ばれてもよく、Ａｕｄｙｘを用いた新しいＡｕｄｙｘ聴覚検査を定義するオーディオロジストが本明細書では「検査構成者」と呼ばれてもよい。
【０００７】
随意的に、Ａｕｄｙｘは、検査音を被験者に伝えるための音響システム、および検査音への被験者の応答を登録するための検査応答システムを備える。Ａｕｄｙｘ聴覚検査に対して応答するコントローラは、Ａｕｄｙｘ聴覚検査に従って被験者に検査音のシーケンスを伝えるように音響システムを制御し、Ａｕｄｙｘ聴覚検査に従って検査音への被験者応答を登録するように検査応答システムを制御する。音響システムは、イヤフォン、インサートイヤフォン、骨伝導振動子、および／またはオープンフィールド・スピーカのうちの少なくとも１つ、またはそれらのうちの２つ以上の任意の組合せを備えてもよい。検査応答システムは、コンピュータ入力デバイス、例えば、マイクロフォン、キーボード、マウス、タッチスクリーン、および／またはジェスチャ認識システムのうちの少なくとも１つ、またはそれらの任意の組合せを備えてもよい。
【０００８】
被験者の聴覚の鋭さを検査するために、様々なタイプの検査音が用いられてもよい。本発明のある実施形態に従って、検査音は、音のタイプのカテゴリ（以下、「音のカテゴリ」または「ＳｏｕｎｄＣａｔ」）を定義したセットに分類されてもよく、検査構成者は、これを所定のＡｕｄｙｘ聴覚検査を定義するための選択に利用できる。ＳｏｕｎｄＣａｔの一例は、単一の音の周波数を特徴とする純音である。ＳｏｕｎｄＣａｔの別の例は、音の継続時間にわたって変化する音の周波数を有することを特徴とする震音である。ＳｏｕｎｄＣａｔの他の例は、雑音および発声語を含む。本発明の一実施形態では、検査構成用表示がＳｏｕｎｄＣａｔの複数の視覚的表現を提供し、検査構成者は、Ａｕｄｙｘ聴覚検査に含めるためのＳｏｕｎｄＣａｔを選択するためにそれを操作してもよい。検査構成者は、選択されたＳｏｕｎｄＣａｔごとに、検査音をさらに特徴付ける変数（「出力変数」）のセットを定義してもよい。出力変数の例は、強さ、継続時間、および繰り返しの数および頻度を含む。
【０００９】
検査構成用表示は、異なるＳｏｕｎｄＣａｔからの混合音を備える「複合検査音」を提供するために検査構成者が複数のＳｏｕｎｄＣａｔを選択することを可能にしてもよい。例えば、検査構成者は、被験者に伝えられる発声語を雑音とともに有する複合検査音を提供するために、単語ＳｏｕｎｄＣａｔおよび雑音ＳｏｕｎｄＣａｔを、検査構成用表示（ｔｅｓｔ  ｃｏｍｐｒｉｓｉｎｇ  ｄｉｓｐｌａｙ）において、選択してもよい。かかる複合検査音は、発声語を背景雑音に対して区別する被験者の能力を判断するために用いられてもよい。
【００１０】
複合検査音を提供するために複数のＳｏｕｎｄＣａｔ検査音を選択したとき、検査構成用表示は、随意的に、検査構成者に複合検査音に特有の出力変数を提示してもよい。例えば、単語／雑音複合検査を定義するために、Ａｕｄｙｘは、検査構成者に発声語の音量と背景雑音の音量との比、または比の範囲を定義するための音量比出力変数を提供してもよい。随意的に、出力変数の値が経時的にまたは繰り返して変化するようにセットされてもよい。
【００１１】
本発明の一実施形態において、検査構成用表示は、「入力オプション」の視覚的表現を検査構成者に提供してもよく、各入力オプションは、所定の検査音への被験者の応答を登録および／または解析するための「入力イベント」に対応する。検査構成者は、検査構成表示上に提示された入力フォーマットの１つ以上の視覚的表現を操作して所望の入力イベント・フォーマット（単数または複数）を選択してもよい。
【００１２】
所定の入力イベントは、以下の入力イベント・カテゴリ、すなわち、検査音への応答を登録するために被験者が検査登録システムと対話する被験者生成登録イベント、被験者が検査登録システムと対話するのをオーディオロジストが観察する観察者生成登録イベント、および検査応答システムが被験者を受動的にモニタし、被験者応答を自動的に検出して登録する自動登録イベントのうちの少なくとも１つにあることを特徴としてもよい。被験者生成登録イベントの一例は、被験者が検査応答システムを通じて検査音に関する質問への回答を入力するステップを含む。観察者生成登録イベントの一例は、オーディオロジストが被験者を観察し、検査音への被験者の応答に関する質問への回答を入力するステップを含む。自動登録イベントの一例は、検査応答システムを含み、検査応答システムは、被験者をモニタし、検査音の提示中および／または提示後に被験者による体の動きを自動的に検出して登録するカメラを備える。随意的に、検査音の各提示が入力イベントと結び付けられるか、または入力イベントが後に続き、従って各検査音の提示が被験者の応答の登録と関連付けられる。
【００１３】
随意的に、登録された被験者の応答は、収集されて、解析されるかおよび／またはその後の解析のために記録される。解析は、様々なグラフおよび／または表形式のいずれかと、応答をカテゴリに分類するための様々な統計的基準のいずれかを用いるステップとを含んでもよい。
【００１４】
本発明の一実施形態において、Ａｕｄｙｘ聴覚検査における検査音は、前に実行されたＡｕｄｙｘ聴覚検査からの検査音への被験者応答に対して応答してもよい。例えば、所定の音量の音声検査音への誤った被験者応答は、Ａｕｄｙｘ聴覚検査のその後の実行において音声検査音が増加した音量で伝えられることにつながってもよい。
【００１５】
本発明の一実施形態において、Ａｕｄｙｘは、患者の集団に対して実施された複数の異なるＡｕｄｙｘ聴覚検査からの複数の登録された被験者応答のコレクションを取得する。複数の登録された被験者応答のコレクションが被験者応答のデータベースを提供してもよい。本発明の一実施形態では、所定の検査音への所定の被験者の応答を解析および診断して、所定の被験者の個別の応答を被験者の集団にわたって平均した応答と比較するときに用いるための統計データを提供するために、このデータベースが解析されてもよい。
【００１６】
本発明の一実施形態において、Ａｕｄｙｘは、聴覚検査を実施するときに選択して用いるためのＡｕｄｙｘ聴覚検査のデータベースを提供するために複数の検査構成者のいずれかによって定義された複数のＡｕｄｙｘ聴覚検査を取得する。
【００１７】
Ａｕｄｙｘコンピュータシステムは、随意的に、単一のコンピュータデバイス内に集中してもよく、またはコードおよびハードウェア・コンポーネントが異なる位置にある「分散システム」であってもよい。本発明の一実施形態において、Ａｕｄｙｘコンピュータシステムは、ヘッドフォンとともに聴力検査場所に置かれたローカルコンピュータデバイスおよび／またはローカルコンピュータデバイスが通信するリモートコンピュータシステムを備えてもよい。リモートコンピュータシステムは、随意的に、リモートサーバまたはリモート分散システムであってもよい。リモート分散システムは、本明細書では「クラウドコンピュータシステム」と呼ばれてもよい。
【００１８】
本考察において、別に明記されない限り、本発明の一実施形態の特徴（単数または複数）の条件または関係の特性を修飾する「実質的に」および「約」のような形容詞は、その条件または特性が、意図された用途に係るその実施形態の動作に関して容認できる許容範囲内で定義されることを意味すると理解される。別に示されない限り、明細書および特許請求の範囲における単語「または（ｏｒ）」は、排他的なまたはではなく包括的な「または」であると見做され、それが結合する項目のうちの少なくとも１つまたはそれらの任意の組み合わせを示す。
【００１９】
この発明の概要は、発明を実施するための形態において以下にさらに記載されるコンセプトの選択を簡略化した形で紹介するために提供される。この発明の概要は、請求される主題の重要な特徴または本質的な特徴を特定するものではなく、請求される主題の範囲を限定するために用いられるものでもない。
【００２０】
本発明の実施形態の非限定的な例がこの段落に続いてリストされる本明細書の添付図面を参照して以下に記載される。複数の図面に現われる同一の特徴にはそれらが現れるすべての図面で全般的に同じラベルが付される。図面中で本発明の実施形態の所定の特徴を表すアイコンに付したラベルが所定の特徴を参照するために用いられてもよい。図面中に示される特徴の寸法は、提示の便宜および明確さのために選ばれ、必ずしも縮尺通りではない。
【図面の簡単な説明】
【００２１】
【図１Ａ】本発明の一実施形態によるＡｕｄｙｘシステムの概略図を示す。
【図１Ｂ】本発明の一実施形態によるＡｕｄｙｘシステムの概略図を示す。
【図１Ｃ】本発明の一実施形態によるＡｕｄｙｘシステムの概略図を示す。
【図１Ｄ】本発明の一実施形態によるＡｕｄｙｘシステムの概略図を示す。
【図２】本発明の一実施形態による検査構成用表示を介してのＳｏｕｎｄＣａｔおよびＳｏｕｎｄＣａｔ変数選択の例示的なシーケンスを概略的に示す。
【図３】本発明の一実施形態による検査構成用表示を介してのＳｏｕｎｄＣａｔおよびＳｏｕｎｄＣａｔ変数選択の例示的なシーケンスを概略的に示す。
【図４】本発明の一実施形態による検査構成用表示を介してのＳｏｕｎｄＣａｔおよびＳｏｕｎｄＣａｔ変数選択の例示的なシーケンスを概略的に示す。
【図５】本発明の一実施形態による検査構成用表示を介してのＳｏｕｎｄＣａｔおよびＳｏｕｎｄＣａｔ変数選択の例示的なシーケンスを概略的に示す。
【図６】本発明の一実施形態による検査構成用表示を介してのＳｏｕｎｄＣａｔおよびＳｏｕｎｄＣａｔ変数選択の例示的なシーケンスを概略的に示す。
【図７】本発明の一実施形態による検査構成用表示を介してのＳｏｕｎｄＣａｔおよびＳｏｕｎｄＣａｔ変数選択の例示的なシーケンスを概略的に示す。
【図８】本発明の一実施形態による検査構成用表示を介してのＳｏｕｎｄＣａｔおよびＳｏｕｎｄＣａｔ変数選択の例示的なシーケンスを概略的に示す。
【図９】本発明の一実施形態による検査構成用表示を介してのＳｏｕｎｄＣａｔおよびＳｏｕｎｄＣａｔ変数選択の例示的なシーケンスを概略的に示す。
【図１０】本発明の一実施形態による検査構成用表示を介してのＳｏｕｎｄＣａｔおよびＳｏｕｎｄＣａｔ変数選択の例示的なシーケンスを概略的に示す。
【図１１】本発明の一実施形態による検査構成用表示を介してのＳｏｕｎｄＣａｔおよびＳｏｕｎｄＣａｔ変数選択の例示的なシーケンスを概略的に示す。
【図１２】本発明の一実施形態による検査構成用表示を介してのＳｏｕｎｄＣａｔおよびＳｏｕｎｄＣａｔ変数選択の例示的なシーケンスを概略的に示す。
【図１３】本発明の一実施形態による検査構成用表示を介してのＳｏｕｎｄＣａｔおよびＳｏｕｎｄＣａｔ変数選択の例示的なシーケンスを概略的に示す。
【図１４】本発明の一実施形態によるＡｕｄｙｘ聴覚検査において生成された検査音列の表現を概略的に示す。
【図１５】本発明の一実施形態による例示的な検査応答システムを概略的に示す。
【図１６】本発明の一実施形態によるＡｕｄｙｘ聴覚検査の実行を通じて集められた、登録された被験者応答の解析を概略的に示す。
【図１７】本発明の一実施形態によるＡｕｄｙｘ聴覚検査の実行を通じて集められた、登録された被験者応答の代わりの解析を概略的に示す。
【図１８】本発明の一実施形態による検査構成用表示を介してのＳｏｕｎｄＣａｔおよびＳｏｕｎｄＣａｔ変数選択の例示的なシーケンスを概略的に示す。
【図１９】本発明の一実施形態による検査構成用表示を介してのＳｏｕｎｄＣａｔおよびＳｏｕｎｄＣａｔ変数選択の例示的なシーケンスを概略的に示す。
【図２０】本発明の一実施形態によるＡｕｄｙｘ聴覚検査において生成された検査音列の表現を概略的に示す。
【発明を実施するための形態】
【００２２】
図１Ａ〜１Ｃは、本発明の一実施形態によるＡｕｄｙｘシステム１０を概略的に示す。Ａｕｄｙｘは、非一時的なコンピュータ可読媒体に格納された命令セットを含むか、またはそれへのアクセスを有するＡｕｄｙｘコンピュータシステム２０を備え、Ａｕｄｙｘコンピュータシステムは、視覚表示３４（「検査構成用表示」）を生成するためにこの命令セットを実行し、検査構成者は、被験者に提示するための検査音の所望の配列、ならびに随意的に検査音への被験者応答の所望の配列を定義するために視覚表示３４を操作してＡｕｄｙｘ聴覚検査を構成できる。
【００２３】
本発明の一実施形態において、Ａｕｄｙｘコンピュータシステム２０は、検査構成用表示３４が随意的に表示されてもよい表示スクリーン３２を有するコンピュータデバイス３０を備えてもよい。コンピュータデバイス３０は、新しいＡｕｄｙｘ聴覚検査を作成するために検査構成用表示３４を操作する検査構成者１５によって操作されてもよい。
【００２４】
検査構成用表示３４は、ブロック３６によって概略的に表される、検査ファイルを作成してもよく、検査ファイルは、検査構成者１５が検査構成用表示３４を操作することによって作成された所定のＡｕｄｙｘ聴覚検査をエンコードする。所定の検査ファイル３６は、エンコードされたＡｕｄｙｘ聴覚検査を後でおよび／または異なるコンピュータシステムもしくはデバイスにおいて再現するために、他のコンピュータシステムまたはデバイス（例えば、以下にさらに記載されるように、両方向ブロック矢印８０で概略的に表された然るべき通信チャネルに接続されたコンピュータデバイス７０）へ転送されてもよい。
【００２５】
随意的に、検査構成者１５がそれによってＡｕｄｙｘ聴覚検査を構成するコンピュータデバイス３０は、随意的に、破線ボックス２２で概略的に表された第１の位置にあってもよく、Ａｕｄｙｘ聴覚検査がそれによって実行される音響システム５０および検査応答システム６０は、第１の位置２２から比較的遠く離れた第２の位置２４にあってもよい。
【００２６】
Ａｕｄｙｘコンピュータシステム２０は、クラウドコンピュータシステム４０を随意的に備えてもよく、各検査ファイルが所定のＡｕｄｙｘ聴覚検査を表す、非一時的なコンピュータ可読媒体に格納された複数の検査ファイル３６を含むデータベース４２（「検査ファイル・データベース」もしくは「ＴＦ」データベース）を備えてもよい。随意的に、クラウドコンピュータシステム４０およびコンピュータデバイス３０は、適切な通信チャネル８０を介して互いに通信してもよい。例として、ＴＦデータベース４２に格納された検査ファイル３６がコンピュータデバイス３０に表示された検査構成用表示３４へ送られるか、またはそれによってアクセスされてもよく、従って、検査構成用表示３４との対話を通じて、検査構成者１５が検査ファイル３６によって表されたＡｕｄｙｘ聴覚検査を見てもよく、および／または編集してもよい。代わりにまたは加えて、検査構成者１５の検査構成用表示２４の操作を通じて作成された検査ファイル３６がクラウドコンピュータシステム４０中のＴＦデータベース４２に格納されてもよい。
【００２７】
本発明の一実施形態において、ＴＦデータベース４２に格納された検査ファイル３６は、適切な通信チャネル８０を介して、検査ファイル中にエンコードされた所定のＡｕｄｙｘ聴覚検査を実行するために音響システム５０および／または検査応答システム６０へ送られるか、またはそれらによってアクセスされてもよい。
【００２８】
本発明の一実施形態において、音響システム５０は、Ａｕｄｙｘ聴覚検査を実行して、ＴＦデータベース４２から随意的にダウンロードされるかまたはアクセスされた、所定の検査ファイル３６中にエンコードされた検査音の配列を被験者１７に伝えてもよい。音響システム５０は、（図１Ａ〜１Ｃに概略的に示されるような）イヤフォン、インサートイヤフォン（図示されない）、骨伝導振動子（図示されない）、および／またはオープンフィールド・スピーカ（図示されない）のうちの少なくとも１つ、またはそれらのうちの２つ以上の任意の組み合わせを備えてもよい。オープンフィールド・スピーカが複数のオープンフィールド・スピーカであってもよい。複数のオープンフィールド・スピーカがマルチチャネル・オーディオシステム、例えば、５．１サラウンドサウンドシステムまたは７．１サラウンドサウンドシステムであってもよい。例として、図１Ａに概略的に示されるような音響システム５０は、被験者１７によって着用されたイヤフォン５２を備える。
【００２９】
本発明の一実施形態において、検査応答システム６０は、Ａｕｄｙｘ聴覚検査を実行して、検査ファイル３６による検査音への被験者の応答を登録してもよい。検査応答システム６０は、随意的にジェスチャ認識システム（示されない）に作動的に接続されたコンピュータ入力デバイス、例えば、（図１Ａ、１Ｂおよび１Ｄに概略的に示されるような）キーボード６２、マウス（図示されない）、タッチパッド（図示されない）、（図１Ｃおよび１Ｄに概略的に示されるような）タッチスクリーン６４、（図１Ａ〜１Ｄに概略的に示されるような）マイクロフォン６８、および／または（図１Ａ〜１Ｄに概略的に示されるような）ビデオカメラ６９のうちの少なくとも１つ、またはそれらの任意の組み合わせを備えてもよい。
【００３０】
随意的に、所定のＡｕｄｙｘ聴覚検査の間に検査応答システム６０を通じてなされた検査応答登録は、検査応答システム６０を通じて登録されるような検査音への被験者の応答の記録をエンコードする、非一時的なコンピュータ可読媒体に格納するファイル（「被験者応答ファイル」、図示されない）を生成するために記録されてもよい。随意的にＡｕｄｙｘコンピュータシステム２０、随意的にリモートコンピュータシステム４０は、実行された１つ以上の特定の聴覚検査から登録された複数の被験者応答ファイルを含むデータベース４４（「結果データベース」）を備える。
【００３１】
音響システム５０および検査応答システム６０は、ブロック３７によって概略的に表された、検査ファイル３６に対して応答的なコントローラによって制御されてもよい。コントローラ３７は、非一時的なコンピュータ可読媒体に格納されて、マイクロプロセッサによって実行される命令セットであってもよく、マイクロプロセッサは、例として、コンピュータデバイス７０および／またはコンピュータデバイス７２に、音響システム５０および／または検査応答システム６０とともに収容されるかまたはそれらに作動的に接続される。
【００３２】
当然のことながら、本発明の一実施形態によるＡｕｄｙｘ１０は、特定のコンピュータデバイスにおける検査構成用表示３４、音響システム５０および検査応答システム６０の特定の配置または位置には必ずしも限定されない。
【００３３】
随意的に、図１Ａ〜１Ｃに概略的に示されるように、音響システム５０および検査応答システム６０は、同じコンピュータデバイス（例えば、図１Ａ〜１Ｂにおけるコンピュータデバイス７０および図１Ｃにおけるコンピュータデバイス７２）に収容されるか、および／またはそれらに作動的に接続される。代わりに、音響システム５０および検査応答システム６０が別個のコンピュータデバイス、例えば、図１Ｄに示されるようなコンピュータデバイス７０および７２に収容されてもよい。音響システム５０および／または検査応答システム６０が収容されるコンピュータデバイスは、例として、デスクトップコンピュータ、ラップトップコンピュータ、またはタブレットコンピュータ、ハンドヘルドコンピュータもしくはスマートフォンのようなポータブルコンピュータデバイスを備えてもよい。
【００３４】
例として、図１Ｂを参照すると、検査応答システム６０は、補助コンピューティングデバイス６５（以下、「ＡＣＤ：ａｕｘｉｌｉａｒｙ  ｃｏｍｐｕｔｉｎｇ  ｄｅｖｉｃｅ」）に完全にまたは部分的に収容されてもよく、補助コンピューティングデバイス６５は、両方向ブロック矢印８１で概略的に表された適切な通信チャネルを通じてコンピュータデバイス７０に作動的に接続される。検査音への被験者１７の応答を登録する代わりの方法としてＡＣＤ６５がオーディオロジスト１９によって用いられてもよい。ＡＣＤは、タブレットコンピュータ、ハンドヘルドコンピュータまたはスマートフォンのようなポータブルコンピュータデバイスを備えてもよい。例として、オーディオロジスト１９は、ＡＣＤ６５に収容されたタッチスクリーン６７を通じて検査音への被験者１７の応答を登録してもよい。ポータブルＡＣＤ６５の使用は、オーディオロジストが被験者応答を登録するときに被験者をよりよく観察するための改善された動きの自由度を提供する。代わりに、オーディオロジスト１９が被験者１７に対して遠隔位置にあり、１つ以上の電子通信手段、例として、インターコム、電話、ビデオ会議、またはインスタントメッセージング（「チャット」）を通じて被験者１７と通信するか、および／または被験者１７を観察してもよい。
【００３５】
例として、検査構成用表示３４がオーディオロジスト１９によって動作するコンピュータデバイス７０中に設けられてもよく、従って、Ａｕｄｙｘ聴覚検査を検査構成者として構成する同じオーディオロジストがその聴覚検査（図示されない）も実行してもよい。
【００３６】
別の例として、図１Ｃに概略的に示されるように、音響システム５０および（例としてタッチスクリーン６４を備える）検査応答システム６０は、被験者１７によって操作されるコンピュータデバイス７２に収容または作動的に接続されてもよい。随意的に、被験者１７は、自己管理されたＡｕｄｙｘ聴覚検査に携わり、この検査では被験者１７がＡｕｄｙｘ聴覚検査の実行中にオーディオロジストとの対話を伴わずにまたは最小限に伴って検査音の提示を制御し、検査応答システム５０を通じて検査音への被験者自身の応答を登録する。
【００３７】
別の例として、図１Ｄに概略的に示されるように、検査応答システム６０は、２つのコンピュータデバイス、オーディオロジスト１９によって操作される第１のコンピュータデバイス７０および被験者１７によって操作される第２のコンピュータデバイス７２に収容されてもよく、オーディオロジスト１９は、検査音の提示を制御し、被験者１７は、提示された検査音への被験者自身の応答を記録する。音響システム５０は、図１Ｄに示されるようにコンピュータデバイス７２に、またはコンピュータデバイス７０と作動的に接続されてもよい。コンピュータデバイス７０およびコンピュータデバイス７２は、両方向ブロック矢印８２で概略的に表された、適切な通信チャネルを介して互いに通信してもよい。
【００３８】
図２〜１２は、例として、検査構成者１５が（図１Ａ〜１Ｄに概略的に示されるような）コンピュータデバイス３０の表示スクリーン３２に示された検査構成用表示３４を操作するステップを介して、Ａｕｄｙｘ聴覚検査を構成することによってなされる、ＳｏｕｎｄＣａｔおよびＳｏｕｎｄＣａｔ変数選択の例示的なシーケンスを概略的に示す。
【００３９】
図２は、検査構成用表示３４の開始ページ１００を概略的に示し、新しいＡｕｄｙｘ聴覚検査を構成する検査構成者（例として図１Ａ〜１Ｄに概略的に示されるような検査構成者１５）によって操作されるコンピュータデバイス３０の表示スクリーン３２を示す。本発明の一実施形態によれば、Ａｕｄｙｘ聴覚検査は、Ａｕｄｙｘ聴覚検査の実行中に音響システム（例えば、図１Ａ〜１Ｄに示される音響システム５０）によって被験者（例として図１Ａ〜１Ｄに示される被験者１７）に提示するための検査音のシーケンス、ならびに検査応答システム（例えば、図１Ａ〜１Ｄに示される検査応答システム６０）を通じて被験者の応答を登録するためのコンピュータ入力イベントのシーケンスを定義してもよい。検査構成者１５は、例えば、マウスポインタ・アイコン１０６の配置によって示されるように、アイコンをマウスでクリックすることによりそのアイコン１０２の選択を通じて新しい検査を作成し始めるように２つの選択によって促される。アイコン１０２の選択は、検査構成者が新しいＡｕｄｙｘ聴覚検査を定義するために操作してもよい（図３に概略的に示されるような）デフォルト状態にある検査構成ページ２００につながる。「検査を検索してインポートする」アイコン１０４の選択は、随意的に（例えば、図１Ａに概略的に示されるような）ＴＦデータベース４２からの、利用可能な「公開された」Ａｕｄｙｘ聴覚検査のメニュー（示されない）を示す検査構成用表示３４につながる。公開されたＡｕｄｙｘ聴覚検査の選択は、選択されたＡｕｄｙｘ聴覚検査に対応する検査ファイルに従って聴覚検査の定義が読み込まれた、完了した検査構成用ページ２００（完了）に導く。検査構成者は、選択された検査を随意的に修正および／または実行するために、読み込まれた検査構成用ページを操作してもよい。
【００４０】
次に、デフォルト状態における検査構成ページ２００を概略的に示す図３が参照され、検査構成者は、図４に概略的に示されるように、Ａｕｄｙｘ聴覚検査を定義するためにこのページを操作する。
【００４１】
検査構成ページ２００は、例として検査構成者が検査音伝達の様々なモードを定義するための出力モード・セレクタ２０２を備えてもよい。特定の検査音伝達モードを選択するステップは、例えば、検査音伝達の特定のモードに対して最適化された検査音をエンコードする信号の特性を定義してもよい。例として、出力モード・セレクタ２０２は、ラジオボタン２０４を有する変換器セレクタ２０３を備える。ラジオボタン２０４を操作することによって、検査構成者は、Ａｕｄｙｘ聴覚検査において定義された検査音を生成するために用いられる変換器のタイプ、例えば、オープンフィールド・スピーカ、ヘッドフォン、インイヤ・インサートおよび骨導電振動子を選択してもよい。出力モード・セレクタ２０２は、例として、検査構成者が検査音をバイノーラルまたはモノラールとして定義するためのラジオボタン２０６を有するバイノーラル／モノラール・セレクタ２０５、ならびに例としてラジオボタン２０８を有する補聴器モード・セレクタ２０７をさらに備えてもよい。
【００４２】
例として、図３〜４に概略的に示されるようなＳｏｕｎｄＣａｔコレクション２１０は、例として、複数のＳｏｕｎｄＣａｔアイコン２１４を含む。本発明の一実施形態において、所定のＳｏｕｎｄＣａｔアイコンのＳｏｕｎｄＣａｔバスケット２１２中への選択は、Ａｕｄｙｘ聴覚検査において検査音として提示されることになる音の所定のカテゴリを定義する。図４に概略的に示されるように、検査構成者は、所望のＳｏｕｎｄＣａｔの視覚的表現を操作して、例として所望のＳｏｕｎｄＣａｔアイコン２１４をＳｏｕｎｄＣａｔコレクション２１０からＳｏｕｎｄＣａｔバスケット２１２へドラッグすることによって検査構成用表示３４におけるＳｏｕｎｄＣａｔを選択してもよい。選択のための所望のＳｏｕｎｄＣａｔアイコンの操作は、追加的または代替的に、所望のＳｏｕｎｄＣａｔアイコンをマウスでクリックもしくはダブルクリックするステップ、または所望のＳｏｕｎｄＣａｔアイコンの隣のチェックボックスをクリックするステップを備えてもよい。検査構成用表示３４がタッチスクリーン上に表示されていれば、選択のための所望のＳｏｕｎｄＣａｔアイコンの操作は、加えてまたは代わりに、所望のＳｏｕｎｄＣａｔアイコンによって占有されたタッチスクリーン（図示されない）の領域をタップもしくはダブルタップするステップ、または所望のＳｏｕｎｄＣａｔアイコンの隣のチェックボックスをタップするステップを備えてもよい。
【００４３】
検査構成者は、追加の所望のＳｏｕｎｄＣａｔアイコン２１４をドラッグすることによって追加のＳｏｕｎｄＣａｔを選択してもよい。複数のＳｏｕｎｄＣａｔの選択が時間的に重なり合うように提示された複数の検査音を備える複合検査音をもたらしてもよい。例として、検査構成者は、２つの破線矢印２１５で概略的に表された２つのＳｏｕｎｄＣａｔアイコン２１４、用語「単語」を含んだ第１のＳｏｕｎｄＣａｔアイコンおよび用語「雑音」を含んだ第２のＳｏｕｎｄＣａｔアイコンをＳｏｕｎｄＣａｔコレクション２１０からＳｏｕｎｄＣａｔバスケット２１２へドラッグする。「単語」および「雑音」ＳｏｕｎｄＣａｔの選択によって定義された聴覚検査が単語検査音を雑音検査音と組み合わせて提示する複合検査音を生成してもよい（例えば、図１５参照）。ドラッギングが完了すると、ドラッグされたＳｏｕｎｄＣａｔアイコン２１４のコピーがＳｏｕｎｄＣａｔバスケット２１２内に現われて、選択に成功したことを示す。
【００４４】
ＳｏｕｎｄＣａｔコレクション２１０は、新しいＳｏｕｎｄＣａｔを作成するために、用語「新しい」を含んだＳｏｕｎｄＣａｔアイコン２１６を随意的に含んでもよい。
【００４５】
所望のＳｏｕｎｄＣａｔが選択された後、検査構成者は、用語「終了」を含んだアイコン２１８をクリックすることによって、ＳｏｕｎｄＣａｔ選択を確認して検査ファイル構成を進めてもよい。
【００４６】
図４では、検査構成者が所望のＳｏｕｎｄＣａｔ２１４の選択に成功したが、検査構成者は、図４ではまだＡｕｄｙｘ聴覚検査の実行中に被験者に提示するための検査音、および検査音のシーケンスをさらに特徴付ける、それぞれ、選択されたＳｏｕｎｄＣａｔごとのＳｏｕｎｄＣａｔ変数を定義していなかった。
【００４７】
次に、図５が参照される。聴力測定器は、所定の選択されたＳｏｕｎｄＣａｔのための出力変数定義ウィンドウ（ＯＶＤ  ｗｉｎｄｏｗ：ｏｕｔｐｕｔ  ｖａｒｉａｂｌｅ  ｄｅｆｉｎｉｔｉｏｎ  ｗｉｎｄｏｗ）２２０を開くために、マウスポインタ・アイコン１０６をＳｏｕｎｄＣａｔバスケット２１２中のＳｏｕｎｄＣａｔアイコン２１４のうちの１つに向けてクリックしてもよい。ＯＶＤウィンドウ２２０は、検査構成者によって定義されることになる所定のＳｏｕｎｄＣａｔに対する様々な出力変数を示す。例として、図５では、検査構成者が用語「雑音」を含んだＳｏｕｎｄＣａｔアイコンを対応するＯＶＤウィンドウ２２０へ展開すべくマウスポインタ・アイコン１０６をそのアイコンに向けてクリックする。
【００４８】
本発明の一実施形態では、検査構成者が定義することをＯＶＤウィンドウ２２０が促す出力変数が特定の対応するＳｏｕｎｄＣａｔタイプに対して応答してもよい。例として、純音ＳｏｕｎｄＣａｔが、例として、ピッチ、音量および継続時間のような出力変数によって定義されてもよい。音声ＳｏｕｎｄＣａｔが、例として、言語、予め準備された単語リストの選択、および音量を含んだ出力変数の異なるセットによって定義されてもよい。
【００４９】
次に、検査構成者によって雑音ＳｏｕｎｄＣａｔに対する出力変数を定義するためのＯＶＤウィンドウ２２０の操作を概略的に示す、図６Ａ〜６Ｈが参照される。ＯＶＤウィンドウは、随意的に一連のクエリを通じて雑音ＳｏｕｎｄＣａｔに適した出力変数を定義するように検査構成者を導く。随意的に、ＯＶＤウィンドウ２２０は、ＯＶＤウィンドウ２２０に提示された一連のクエリを通じ検査構成者が後方および前方へ見進むための矢印アイコン２２２を備える。
【００５０】
図６Ａに概略的に示されるように、ＯＶＤウィンドウ２２０を開くと、ＯＶＤウィンドウ２２０は、例として、「合成」および「実」雑音から選択するための基本雑音タイプ２２４のメニューを検査構成者に提示し、そこで検査構成者は、実雑音を選択する。合成雑音は、例として、ホワイトノイズ、ブラウンノイズ、ピンクノイズ、ブルーノイズ、バイオレットノイズ、またはグレイノイズを備えてもよい。実雑音は、雑音の多い環境、例として、鉄道駅、交通量が多い通り、パーティ、森林、降雨などの記録またはシミュレーションを備えてもよい。
【００５１】
図６Ｂに概略的に示されるように、検査構成者の実雑音の選択は、例として検査構成者が選択するための「パーティ１」、「パーティ２」、「列車１」、「列車２」、「森林１」および「森林２」を含む、実雑音例２２６のメニューを提示するようにＯＶＤウィンドウ２２０をトリガし、そこで検査構成者は、所望の騒音例２２６を選択する。
【００５２】
図６Ｃ〜６Ｈに概略的に示されるように、検査構成者が所望の騒音例２２６を選択すると、特定の雑音例２２６がＡｕｄｙｘ聴覚検査においてどのように提示されることになるかを制御する出力変数の選択可能なリストが検査構成者に提示される。例として、雑音ＳｏｕｎｄＣａｔを特徴付ける出力変数は、検査音の各インスタンスの継続時間を定義する「継続時間」、検査音開始における遅延を他のＳｏｕｎｄＣａｔ（もしあれば）と比較して定義する「遅延」、検査音の音量を定義する「音量」および検査音の音源の見かけの空間位置を定義する「位置」を含んでもよい。
【００５３】
典型的に、Ａｕｄｙｘ聴覚検査は、一連の複数の検査音提示（「検査音列」）を備え、各検査音提示後に検査音への被験者の応答を登録するステップが続く。検査音列またはその一部分は、複数の検査音の各々がそれぞれ所定の出力変数のある範囲を提示する検査音の「サイクル」を特徴としてもよい。聴覚検査は、聴覚検査の間に２つ以上の出力変数範囲が検査されるように、複数のネスト化されたサイクルを含むように定義されてもよい。
【００５４】
図６Ｃに概略的に示されるように、検査構成者は、どの出力サイクル変数（単数または複数）がサイクルを特徴付けることになるかを選択可能なリスト２２８から選択する。例として、検査構成者は、パーティ２雑音をある範囲の音量で提示する音量サイクルを聴覚検査が含むことになるように、所望の「音量」変数２２７を選択する。
【００５５】
図６Ｄに概略的に示されるように、ＯＶＤウィンドウ２２０は、例としてパーティ２雑音検査音のための音量サイクルが他のサイクルとどのように相互作用するかを定義する「ネスト・レベル」、サイクルのための開始音量（「範囲開始」）、サイクルのための終了音量（「範囲終了」）ならびに開始音量と終了音量との間の音量段階（「段階」）を含む、音量サイクルを定義する出力変数のためのエントリ・フィールドを提示する。検査構成者は、音量の範囲が開始音量から終了音量へ順序通りに提示されることになるか、または音量の範囲がランダムに提示されることになるか（「ランダムまたは順序通り」）を随意的に選択してもよい。本発明の一実施形態では、音量段階が１つ以上の前に提示された検査音への被験者の応答に対して応答してもよい。例として、「段階」フィールドにおける音量段階が「反応的」とセットされてもよく、その場合には雑音の音量が前の検査音への被験者の応答に依存して増加または減少する。
【００５６】
図６Ｅに概略的に示されるように、例として、検査構成者は、ネスト・レベル２、開始音量２０ｄＢ（デシベル）、終了音量６０ｄＢ、および音量段階２０ｄＢを入力する。検査構成者は、さらに、音量サイクルが順次提示されるように選択する。結果として、聴覚検査は、２０ｄＢ、４０ｄＢおよび次に６０ｄＢの３つの異なる音量で順次提示されるパーティ２雑音の１サイクル（または複数サイクル）を含むことになる。
【００５７】
図６Ｆ〜６Ｈに概略的に示されるように、検査構成者が音量サイクルに対する出力変数を定義すると、ＯＶＤウィンドウ２２０は、サイクルを特徴付けるために選択されなかった残りの出力変数の値を検査構成者が入力するように促す。例として、検査構成者が継続時間２秒、遅延０秒、および中心の位置を入力し、従って、継続時間が２秒、他のＳｏｕｎｄＣａｔに対する遅延が０秒で見かけの空間位置が中心にあるパーティ２雑音が聴覚検査の間に一貫して提示されるであろう。随意的に、雑音ＳｏｕｎｄＣａｔの継続時間が「連続的」と定義されてもよく、その場合には選択されたＳｏｕｎｄＣａｔに対応する雑音検査音が聴覚検査の実行中に連続的に被験者に提示されるであろう。
【００５８】
図７に概略的に示されるように、検査構成者は、単語ＳｏｕｎｄＣａｔに対する出力変数を定義するために、用語「単語」を含んだＳｏｕｎｄＣａｔアイコンを対応するＯＶＤウィンドウ２３０へ広げるべくマウスポインタ・アイコン１０６をそのアイコンに向けてクリックする。
【００５９】
次に、検査構成者によって「単語」ＳｏｕｎｄＣａｔに対する出力変数を定義するためのＯＶＤウィンドウ２３０の操作を概略的に示す、図８Ａ〜８Ｈが参照される。ＯＶＤウィンドウは、随意的に一連のクエリを通じて単語ＳｏｕｎｄＣａｔに適した出力変数を定義するように検査構成者を導く。
【００６０】
図８Ａに概略的に示されるように、単語ＳｏｕｎｄＣａｔのためのＯＶＤウィンドウ２３０を開くと、ＯＶＤウィンドウ２３０は、検査構成者に、例として、選択するための言語２２２の選択可能なリストを提示し、そこで検査構成者は、「英語」を選択する。
【００６１】
図８Ｂに概略的に示されるように、検査構成者の英語の選択は、例として検査構成者が選択するための数、単音節語、および二音節語を含む、英単語リスト２３４の選択可能なリストを提示するようにＯＶＤウィンドウ２３０をトリガする。例として、検査構成者は、所望の単語リスト「単音節１」を選択する。
【００６２】
図８Ｃに概略的に示されるように、ＯＶＤウィンドウ２３０は、例として単語サイクルが他のサイクルとどのように相互作用するかを定義する「ネスト・レベル」、単語サイクルにおいて提示される単語の数（「単語カウント」）、および単語サイクルが繰り返されるならば同じ単語が用いられるかどうか（「サイクルが繰り返されるならば、同じ単語（ｙ／ｎ）？」）を含む、単語サイクルを定義する出力変数のためのエントリ・フィールドを提示する。
【００６３】
例として、図８Ｄに概略的に示されるように、検査構成者は、ネスト・レベル１および単語カウント４を入力し、サイクルが繰り返されるならば、単語サイクルが同じ単語を繰り返さないことを示す。結果として、聴覚検査は、英語単音節１の単語リストから提示される４つの単語の１サイクル（または複数サイクル）を含むであろう。
【００６４】
図８Ｅに概略的に示されるように、検査構成者が単語サイクルの定義を完了すると、ＯＶＤウィンドウ２３０は、検査構成者が出力変数、例として、必要に応じて別のサイクルを作成するための、「遅延」、「音量」または「位置」を選択するように促す。例として、検査構成者は、単語ＳｏｕｎｄＣａｔにさらなるサイクルが所望されないことを示すために「何もない」を選択する。
【００６５】
図８Ｆ〜８Ｈに概略的に示されるように、検査構成者が単語ＳｏｕｎｄＣａｔにさらなるサイクルが所望されないことを示すと、ＯＶＤウィンドウ２３０は、サイクルを特徴付けるために選択されなかった残りの出力変数の値を検査構成者が入力するように促す。例として、検査構成者が音量６０ｄＢ、遅延１秒、および中心の位置を入力し、従って、音量が６０ｄＢ、（遅延０秒で定義された）雑音ＳｏｕｎｄＣａｔに対する遅延が１秒で、見かけの空間位置が中心にある単語検査音が聴覚検査中に一貫して提示されるであろう。
【００６６】
本発明の一実施形態において、検査構成用ページ２００は、選択されたＳｏｕｎｄＣａｔおよび検査構成者によって定義されたそれらの各出力変数間の非両立性をチェックして、存在するならば、検査構成者に非両立性を警告してもよい。例として、図９に概略的に示されるように、検査構成ページ２００は、雑音ＳｏｕｎｄＣａｔおよび単語ＳｏｕｎｄＣａｔにおいて定義された各出力変数間の非両立性を検出し、ここでは、雑音ＳｏｕｎｄＣａｔの２秒の継続時間が定義されるような単語ＳｏｕｎｄＣａｔとともに提示されるには短すぎる。随意的に、検査構成用ページ２００は、非両立性の特質を記述する警告メッセージ２３６を表示する。随意的に、構成用ページ２００は、非両立性が補正されるまで、聴力測定器がＡｕｄｙｘ聴覚検査の構成をさらに進めることを防止するであろう。
【００６７】
本発明の一実施形態において、検査構成者は、必要に応じて出力変数を編集するために所望のＳｏｕｎｄＣａｔのＯＶＤウィンドウを選択してもよい。図１０に概略的に示されるように、検査構成者は、継続時間を単語ＳｏｕｎｄＣａｔと両立するように十分に長くするために、雑音ＳｏｕｎｄＣａｔ出力変数を編集して継続時間を３秒に定義する。編集された雑音ＳｏｕｎｄＣａｔの継続時間の結果として、構成用ページ２００は、語句「進む準備ができている」を備える確認メッセージ２３７を表示し、さらに、検査構成者が聴覚検査の構成を進めるためにクリックしてもよい用語「済んだ」を備えるボタン２３８を表示する。
【００６８】
図５〜１０では、検査構成者は選択された雑音および単語ＳｏｕｎｄＣａｔに対する出力変数の定義に成功したが、検査構成者は、図１０ではまだ検査応答システム６０を介して検査音への被験者の応答を登録するための入力イベントを定義する、少なくとも１つの入力オプションを選択していなかった。
【００６９】
次に、図１１が参照される。本発明の一実施形態では、選択に利用可能な入力オプションが、検査構成者によって選択されたＳｏｕｎｄＣａｔのうちの１つ以上に対して応答してもよい。検査構成者が各ＳｏｕｎｄＣａｔに対する出力変数の定義に成功すると、検査構成用ページ２００は、随意的に、ＳｏｕｎｄＣａｔバスケット２１２中に置かれた前に選択されたＳｏｕｎｄＣａｔから、検査構成者が選択に利用可能な入力オプションのプールを定義するための所望のＳｏｕｎｄＣａｔを選択するように促す。例として、検査構成用ページ２００は、入力オプションの定義のための所望のＳｏｕｎｄＣａｔを示すために各ＳｏｕｎｄＣａｔアイコン２１４に対応するラジオボタン２１６を提供する。例として、検査構成用ページ２００は、入力オプション・コレクション２４０を含み、このコレクションは、所望の入力オプションの定義の選択の前に、「被験者が応答するように指示されることになるＳｏｕｎｄＣａｔを選択する」と述べるメッセージを含む。
【００７０】
次に、図１２が参照される。検査構成者が所望のＳｏｕｎｄＣａｔを選択すると、入力オプション・コレクション２４０には、選択に利用可能な入力オプションに対応する入力アイコン２４２として概略的に表された、入力オプションの視覚的表現が読み込まれる。選択された入力オプションは、Ａｕｄｙｘ聴覚検査の実行中に（例えば、図１Ａ〜１Ｄに示される音響システム５０のような）音響システムによって生成された検査音の提示への被験者応答を登録するために、本発明の一実施形態に従ってオーディオロジストおよび／または被験者が（図１Ａ〜１Ｄに示される検査応答システム６０のような）検査応答システムと対話する手順を定義する。所定の入力イベントは、以下の入力イベント・カテゴリ、すなわち、被験者１７が検査音への応答を登録するために検査登録システム（例として図１Ａ〜１Ｄに示されるような検査登録システム６０）と対話する被験者生成登録イベント、被験者１７を観察するオーディオロジスト１９が検査音への被験者の応答を登録するために検査登録システムと対話する観察者生成登録イベント、および検査応答システムが被験者１７を受動的にモニタして検査音への被験者の応答を自動的に検出する自動登録イベントのうちの少なくとも１つにあることを特徴としてもよい。随意的に、提示された検査音を入力イベントの間に登録するステップは、検査応答システムを動作させる人に提示された質問の回答を入力するステップを備える。
【００７１】
例として、所定の被験者生成登録イベントは、被験者が、検査応答システムを通じて検査音に関する質問への回答を入力するステップであってもよい。例として、所定の観察者生成登録イベントは、被験者を観察するオーディオロジストが、検査音への被験者の応答に関する質問への回答を入力するステップであってもよい。例として、所定の自動登録イベントは、ビデオカメラが、被験者をモニタするステップであってもよく、ビデオカメラは、検査音の提示中および／または提示後の被験者による体の動きを検出して登録するジェスチャ認識システムを備える検査応答システムに作動的に接続される。
【００７２】
例として、検査構成者の単語ＳｏｕｎｄＣａｔに対応するＳｏｕｎｄＣａｔアイコン２１４の選択は、入力アイコン２４２が読み込まれた入力オプション・コレクション２４０を結果として生じる。図１２に概略的に示されるように、入力アイコン２４２は、それぞれ、「正しい／誤った」入力オプション、「多肢選択」入力オプション、「聞く？Ｙ／Ｎ」入力オプション、「応答遅延」入力オプションおよび「ジェスチャ・キャプチャ」入力オプションに対応する。「正しい／誤った」入力オプションは、観察者生成登録イベントを提供し、このオプションではコンピュータ制御表示を介して被験者を観察するオーディオロジストに検査音への参照応答が提示され、オーディオロジストは、検査音への被験者の応答が参照応答に一致するかどうかを判断するために被験者を観察し、（例として図１Ａに概略的に示されるような）検査応答システムと対話して被験者の応答の正しさを登録する。例として、オーディオロジストは、検査音として提示された発声語を被験者が正しく繰り返したか否かを登録するために被験者を観察してもよい。「多肢選択」入力オプションは、被験者生成登録イベントを提供し、このオプションでは被験者に、随意的にコンピュータ制御表示を介して、検査音への可能な正しい応答の選択が提示され、被験者は、検査応答システムと対話して何が可能な正しい応答からの最良の選択であると考えるかを登録する。「聞く？Ｙ／Ｎ」入力オプションは、被験者生成または観察者生成登録イベントを提供し、このオプションでは被験者、または被験者を観察するオーディオロジストが検査応答システムと対話して所定の検査音が被験者によって知覚されたかどうかを示す。「応答遅延」入力オプションは、被験者生成応答イベントと組み合わされてもよく、このオプションでは所定の検査音の提示と、被験者生成応答イベントにより登録される被験者による応答との間の時間の自動登録イベントを提供する。「ジェスチャ・キャプチャ」入力オプションは、自動登録イベントを提供し、このオプションでは検査応答システムが被験者をモニタするビデオカメラに連結されたジェスチャ認識システムを備え、このビデオカメラが検査音への被験者応答を自動的に検出するために検査音が提示された被験者の手、体および／または顔のジェスチャを検出する。ジェスチャ・キャプチャ入力オプションは、随意的に、少なくとも１つの被験者生成イベント（ｓｕｂｊｅｃｔ−ｇｅｎｅｒａｔｅｄ  ｅｖｅｎｔ）または観察者生成登録イベントとともに選択される。入力オプション・コレクションに聴覚検査の被験者応答手順のための他の入力オプションが提供されてもよい。入力オプションを選択することにより定義される入力イベントの他の例は、検査音の音源の見かけの位置を被験者が示す手順、検査音の強さが快適か、または不快に大きいかどうかを被験者が示す手順を含む。
【００７３】
例として、検査構成者の単語ＳｏｕｎｄＣａｔに対応するＳｏｕｎｄＣａｔアイコン２１４の選択は、「正しい／誤った」入力オプション、「多肢選択」入力オプション、「聞く？Ｙ／Ｎ」入力オプション、「応答遅延」入力オプション、および「ジェスチャ・キャプチャ」入力オプションにそれぞれ対応する入力アイコン２４２が読み込まれた入力オプション・コレクション２４０を結果として生じる。検査構成者は、所望の入力オプションの視覚的表現を操作することによって、例として破線矢印２４３で概略的に示されるように所望の入力オプションに対応する入力アイコン２４２を入力オプション・バスケット２５０中へドラッグすることによって、所望の入力オプションを選択してもよい。例として、検査構成者は、「多肢選択」入力オプションに対応する入力アイコン２４２を選択する。随意的に、検査構成者は、２つ以上の入力オプションを選択してもよい。
【００７４】
入力オプション・コレクション２４０が新しい入力オプションを作成するための用語「新しく作成する」を含んだ入力オプション・アイコン２４４を随意的に含んでもよい。
【００７５】
所望の入力オプションが選択された後、検査構成者は、用語「終了」を含んだアイコン２４６をクリックすることによって入力オプション選択を確認して検査ファイル構成を進めてもよい。
【００７６】
次に、オーディオロジストが選択するための３つのボタンを随意的に有する検査構成用表示３４の最終ページ３００を概略的に示す、図１３が参照される。語句「個人的な検査として保存する」からなる第１のボタン２６２は、選択されたときに、オーディオロジストによって選択された場所に保存される新しい検査ファイルを作成する。語句「公開検査として公開する」からなる第２のボタン２６４は、（例えば、図１Ａ〜１Ｃに概略的に示されるような）クラウドコンピュータシステム４０中のＴＦデータベース４２に保存される新しい検査ファイルを作成し、従って、十分な権限を随意的に有する他のオーディオロジストが随意的にＡｕｄｙｘの使用を介してこのファイルにアクセス可能である。語句「検査を実行する」からなる第３のボタン２６６は、検査構成用表示３４において定義されたＳｏｕｎｄＣａｔおよび変数に対応する検査ファイルに従って聴覚検査を実行するように、（図１Ａ〜１Ｃに示される音響システム５０のような）適切な音響システムおよび（図１Ａ〜１Ｃに示される検査応答システム６０のような）適切な検査応答システムに命令する。
【００７７】
随意的に、オーディオロジストは、ボタン２６２、２６４および２６６のうちのいずれかを選択する前に、検査構成用表示３４を操作して前になされたＡｕｄｙｘ聴覚検査の定義を変更できる。
【００７８】
随意的に、オーディオロジストが検査構成用表示の開始ページ１００（図２参照）において語句「検査を検索してインポートする」からなるボタン１０４を選択して、所望の検査ファイルを選択すると、検査構成用表示３４は、選択された検査ファイルに従って読み込まれた定義を有する最終ページ３００へ進んでもよい。オーディオロジストは、Ａｕｄｙｘ聴覚検査を定義された通り実行してもよく、または１つ以上の読み込まれた定義を所望により変更して、その後に聴覚検査を実行してもよい。
【００７９】
次に、図２〜１３において定義されるようにＡｕｄｙｘ聴覚検査を実施する本発明の一実施形態による音響システムによって提示される検査音を概略的に示す、図１４が参照される。Ａｕｄｙｘ聴覚検査は、１から３までのサイクルを含み、各サイクルは、それぞれ、雑音ＳｏｕｎｄＣａｔによって定義された雑音検査音および単語ＳｏｕｎｄＣａｔによって定義された単語検査音を備える４つの複合検査音の提示を含む。サイクル１は、４つの複合検査音、すなわち、パーティ２雑音の開始の１秒後に開始して６０ｄＢで提示される単語「ｂｅｌｌｓ」４２０と組み合わされた２０ｄＢで提示される３秒のパーティ２雑音４１０、パーティ２雑音の開始の１秒後に開始して６０ｄＢで提示される単語「ｃｏｗ」４２０と組み合わされた２０ｄＢで提示される３秒のパーティ２雑音４１０、パーティ２雑音の開始の１秒後に開始して６０ｄＢで提示される単語「ｓｍａｒｔ」４２０と組み合わされた２０ｄＢで提示される３秒のパーティ２雑音４１０、およびパーティ２雑音の開始の１秒後に開始して６０ｄＢで提示される単語「ｐｏｋｅ」４２０と組み合わされた２０ｄＢで提示される３秒のパーティ２雑音４１０を提示する。サイクル２および３は、４つの単語検査音のサイクルを同様に繰り返すが、毎回異なる単語が提示され、付随するパーティ２雑音がサイクル２では４０ｄＢおよびサイクル３では６０ｄＢで提示される。
【００８０】
例えば、図６Ｈに概略的に示されるように、聴覚検査は、ネスト・レベル２において２０ｄＢ、４０ｄＢおよび６０ｄＢで提示される雑音検査音のサイクルを提示する。例えば、図８Ｈに概略的に示されるように、聴覚検査は、ネスト・レベル１において４つの単語の単語カウントを有し、単語サイクルが繰り返される場合には単語の繰り返しのない、単語検査音のサイクルを提示する。ネスト・レベルは、低い方のネスト・レベルをもつサイクルが高い方のネスト・レベルをもつサイクルより前に完了するようにサイクルの階層構造を定義する。それゆえに、図１４に概略的に示されるように、低い方のネスト・レベルを有する単語サイクルの４つの単語の提示が雑音サイクルの各２０ｄＢステップ内で繰り返される。
【００８１】
次に、選択される入力オプションとして「多肢選択」入力オプションを有する、図２〜１３において定義されるように聴覚検査を実施する本発明の一実施形態による例示的な検査応答システム６０を概略的に示す、図１５が参照される。検査応答システムは、図１Ｂに概略的に示されるようにコンピュータデバイス７０に収容されたタッチスクリーン６４であってもよい。タッチスクリーン６４は、実行における多肢選択手順を示し、４つの回答選択ボタン５１０を含む。手アイコン５２０によって表された、タッチスクリーン６４と対話する被験者は、検査音を提示するために語句「検査音を提示する」からなるボタン５３０を押して、次に検査音中で雑音とともに提示された単語であったと被験者が信じる回答選択ボタンの１つを選択する。所望の回答が選択されたことを被験者が確かめることができるように、選択された回答がフィールド５４０に提示される。被験者が次の検査音へ進む準備ができたときに、被験者は、用語「次」からなるボタンを押す。
【００８２】
Ａｕｄｙｘ聴覚検査が行われた後、被験者の聴覚を評価するために被験者応答が解析されてもよい。被験者応答の解析のフォーマットが選択される入力オプション内の変数（示されない）として定義されてもよい。図１６は、本発明の一実施形態によるＡｕｄｙｘ聴覚検査の実行を通じて収集された、登録された被験者応答の解析、例として図１５に概略的に示される聴覚検査の１つ以上の繰り返しの解析を概略的に示す。円プロット６１０は、提示された単語の被験者の知覚の精度をプロットして、複合検査音として単語とともに提示された雑音の音量に対して選択された正しい回答のパーセンテージ（ｙ軸）を示す。例として、被験者の精度は、付随する雑音の音量とともに２０ｄＢの雑音では約１００％の精度から、４０ｄＢの雑音では約７５％の精度へ、６０ｄＢの雑音では約２５％の精度へ減少する。本発明の一実施形態では、被験者のプロット６１０が、例えば、図１Ｂに概略的に示されるような結果のデータベース４４から随意的にアクセスされた他の結果と比較されてもよい。例として、被験者のプロット６１０は、３つの年齢グループに分類されて年齢１２〜１８の被験者における精度と雑音音量との間の関係を示す点線６２０、年齢１９〜３０の被験者における精度と雑音音量との間の関係を示す実線６３０、および年齢３１〜７０＋の被験者における精度と雑音音量との間の関係を示す破線６４０として示される、他の被験者で実施された実質的に同じ聴覚検査を組み合わせた結果と比較されてもよい。
【００８３】
本発明の一実施形態において、Ａｕｄｙｘ聴覚検査は、解析の結果に対して応答的な出力変数を調整し、調整した出力変数を用いて再び自動的に実行するように進めてもよい。例として、図１６に概略的に示されるような結果の被験者が１６歳であり、それゆえに当該被験者の年齢群に予想されるより低い応答精度を有するならば、Ａｕｄｙｘは、同じＡｕｄｙｘ聴覚検査を繰り返すように進めてもよいが、単語ＳｏｕｎｄＣａｔがより高い音量（例えば６０ｄＢではなく７０ｄＢ）に定義されるか、および／または雑音ＳｏｕｎｄＣａｔがより低い音量範囲（例えば、２０ｄＢ〜６０ｄＢではなく１５〜５５ｄＢ）に定義される。
【００８４】
図１７は、本発明の一実施形態によるＡｕｄｙｘ聴覚検査の実行を通じて、例えば、図１５に概略的に示される聴覚検査の繰り返しを通じて収集された、登録された被験者応答の別の解析を概略的に示す。随意的に、多肢選択の被験者応答登録手順における（図１５に概略的に示されるような）回答選択ボタン５１０のうちの１つ以上は、ある単語、またはその検査音の単語と１つの音素が異なるロガトム（例えば、「ｈｏｗ」と比較した「ｃｏｗ」）からなってもよい。間違った応答が所定の音素の違いに基づく尤度が図１５に概略的に示される聴覚検査の繰り返しにわたって表にされてもよい。間違った回答の比較的高いパーセンテージが切り替えられた特定の音素と相関するならば、被験者が正確に知覚するのに苦労する「問題」音素としてそれらの特定の音素が区別されてもよい。図１７は、英語における既知の音素のチャート７００を示す。被験者が知覚するのが比較的困難な音素をオーディオロジストが容易に識別できるように、チャート７００上で問題音素がｘ形アイコン７１０によってマークされてもよい。
【００８５】
図１８〜１９は、例として、検査構成者１５により（図１Ａ〜１Ｄに概略的に示されるような）コンピュータデバイス３０の表示スクリーン３２に示された検査構成用表示３４を操作するステップを介してＡｕｄｙｘ聴覚検査を構成することによってなされる、ＳｏｕｎｄＣａｔおよびＳｏｕｎｄＣａｔ変数選択の例示的なシーケンスを概略的に示す。
【００８６】
図１８および１９に示されるような検査構成用表示３４は、雑音および音ＳｏｕｎｄＣａｔの代わりに音ＳｏｕｎｄＣａｔが選択されたことを除いて、図３〜１３に示された検査構成用表示と実質的に同じである。図１８に示されるように、出力変数定義ウィンドウ（ＯＶＤウィンドウ）２２０において、検査構成者は、検査音を検査音の提示（または「試行」）ごとに強さが２０ｄＢと６０ｄＢとの間に及び、継続時間が３秒で遅延が１秒の純音として定義する。このステップは、「反応的」と定義され、これは、試行から試行へのｄＢ単位の変化が前に提示された検査音への被験者の応答に対して応答することを意味する。
【００８７】
図１９に示されるように、検査構成者は、所望の入力オプションを選択するために「聞く？Ｙ／Ｎ」を入力オプション・バスケット２５０中へ予めドラッグした。それに応じて、所定のＡｕｄｙｘ聴覚検査が実行されるときに、被験者に検査音が提示されて、次に被験者は、音を聞いたか否かを応答するように促されるであろう。図１８に示されるように、音ＳｏｕｎｄＣａｔのためのＯＶＤウィンドウ２２０における「ステップ」が「反応的」と定義されたため、検査構成者に反応的ステップ論理フィールド２７０が提示され、このフィールドでは検査音の強さがそれによって被験者の前の応答に対して応答するルールのセット２７２を検査構成者が定義する。例として、図１９に示されるように、ルール・セット２７２は、音量閾値検査として定義され、この検査では被験者に６０ｄＢの純音から始めて１２個の純音の試行が提示される。試行１〜４では、被験者が検査音を聞けば、次の純音検査音の強さが１０ｄＢ弱められ、被験者が検査音を聞かなければ、次の純音検査音の強さが１０ｄＢ強められる。試行５〜８では、被験者が検査音を聞けば、次の純音検査音の強さが５ｄＢ弱められ、被験者が検査音を聞かなければ、５ｄＢ強められる。試行９〜１２では、被験者が検査音を聞けば、次の純音検査音の強さが２．５ｄＢ弱められ、被験者が検査音を聞かなければ、２．５ｄＢ強められる。
【００８８】
次に、図１８および１９において定義されるようなＡｕｄｙｘ聴覚検査を実行する本発明の一実施形態による音響システムによって提示される検査音を概略的に示す、図２０が参照される。Ａｕｄｙｘ聴覚検査は、試行１から１２を含み、各サイクルは、それぞれ、音ＳｏｕｎｄＣａｔによって定義された純音検査音の提示を含む。各試行は、純音８００を提示する。純音８００は、第１の試行では６０ｄＢで提示される。その後の試行では、ルール・セット２７２において定義されるように、検査音の強さが前の検査音への被験者の応答に対して応答する。被験者が聞いたと応答する各検査音は、概略的に「Ｏ」でマークされ、被験者が聞かなかったと応答する各検査音は、概略的に「Ｘ」でマークされる。ルール２７２に従って、「Ｏ」でマークされた各検査音は、強さを低めた新しい検査音がその後に続き、「Ｘ」でマークされた各検査音は、強さを高めた新しい検査音がその後に続く。本発明の一実施形態において、次の検査音の強さが前の検査音への被験者の応答に対して応答する度合いは、複数の試行にわたって減少し、従って、音量閾値に到達する。
【００８９】
随意的に、Ａｕｄｙｘ聴覚検査は、被験者の快適さの閾値を同様に検査してもよく、その検査では前の方の検査音が快適であったと被験者が応答すれば、後の方の検査音の強さが増し、前の方の検査音が不快に大きかったと被験者が応答すれば、次の検査音の強さが増す。随意的に、Ａｕｄｙｘ聴覚検査は、検査音の音源の位置を同様に検査してもよく、その検査では検査音の知覚された音源が被験者の右に位置すると被験者が応答すれば、左耳に提示される音の強さが強められ（および／または右耳に提示される音が弱められ）、検査音の知覚された音源が被験者の右に位置すると被験者が応答すれば、左耳に提示される音の強さが弱められる（および／または右耳に提示される音が強められる）。随意的に、Ａｕｄｙｘ聴覚検査は、被験者の了解度の閾値を同様に検査してもよく、その検査では被験者が前の方で提示された発声語を正しく識別し損ねれば、発声語の強さが背景雑音に比べて強められ（または背景雑音の強さが発声語に比べて弱められ）、被験者が前の方で提示された発声語を正しく識別すれば、発声語の強さが背景雑音に比べて弱められる（または背景雑音の強さが発声語に比べて強められる）。
【００９０】
本出願の明細書および特許請求の範囲において、各々の動詞、「備える」「含む」および「有する」、ならびにそれらの活用形は、動詞の目的語（単数または複数）が必ずしも動詞の主語（単数または複数）の構成要素、要素または部分の完全なリスティングではないことを示すために用いられる。
【００９１】
本出願書における本発明の実施形態の記載は、例として提供され、本発明の範囲を限定することは意図されない。記載される実施形態は、そのすべてが本発明のすべての実施形態に必要とされるわけではない、異なる特徴を備える。いくつかの実施形態は、特徴のうちのいくつか、または特徴の可能な組み合わせを利用するに過ぎない。記載される本発明の実施形態の変形形態、および記載される実施形態に記される特徴の異なる組み合わせを備える本発明の実施形態を当業者は想起するであろう。本発明の範囲は、特許請求の範囲によってのみ限定される。
【図１Ａ】
2017529198.tif 000003
【図１Ｂ】
2017529198.tif 000004
【図１Ｃ】
2017529198.tif 000005
【図１Ｄ】
2017529198.tif 000006
【図２】
2017529198.tif 000007
【図３】
2017529198.tif 000008
【図４】
2017529198.tif 000009
【図５】
2017529198.tif 000010
【図６】
2017529198.tif 000011
【図７】
2017529198.tif 000012
【図８】
2017529198.tif 000013
【図９】
2017529198.tif 000014
【図１０】
2017529198.tif 000015
【図１１】
2017529198.tif 000016
【図１２】
2017529198.tif 000017
【図１３】
2017529198.tif 000018
【図１４】
2017529198.tif 000019
【図１５】
2017529198.tif 000020
【図１６】
2017529198.tif 000021
【図１７】
2017529198.tif 000022
【図１８】
2017529198.tif 000023
【図１９】
2017529198.tif 000024
【図２０】
2017529198.tif 000025
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
聴覚検査プロトコルを設計するためのシステムであって、
視覚表示と、コンピュータ実行可能な命令と、を備えるコンピュータシステムを備え、
前記コンピュータ実行可能な命令は、
複数のユーザが選択可能な音のタイプを前記視覚表示上に表示し、
表示された前記複数のユーザが選択可能な音のタイプからユーザによって選択された音のタイプを登録し、
登録された前記音のタイプに対する複数の選択可能な被験者応答タイプを前記視覚表示上に表示し、
登録された前記音のタイプを、前記複数の選択可能な被験者応答タイプから前記ユーザにより選択された被験者応答タイプと関連付けて登録し、
被験者の聴覚を検査するためのコンピュータ実行可能かつポータブルな聴覚検査プロトコルを生成する
ように実行可能であり、
前記聴覚検査プロトコルは、
登録された被験者の前記音のタイプに基づいて検査音をエンコードし、前記検査音を被験者に可聴にするように処理可能なデジタルコードと、
登録された前記被験者応答タイプに基づき、前記被験者の応答を前記検査音に登録するためのコンピュータベースの応答インターフェースを生成するように実行可能なコンピュータ実行可能な命令と、を含む、
システム。
【請求項２】
前記コンピュータシステムは、
選択された前記音のタイプに基づいて、前記検査音の１以上の特性を設定するための音設定インターフェースを表示し、
前記音設定インターフェースにより設定された前記検査音の１以上の特性に基づいて前記聴覚検査プロトコルにおいて前記検査音をエンコードする
ように動作可能である、請求項１に記載のシステム。
【請求項３】
前記コンピュータシステムは、選択された音のタイプに基づいて前記複数の選択可能な被験者応答タイプを表示するように動作可能である、請求項１に記載のシステム。
【請求項４】
前記音設定インターフェースは、複数の検査音表示のシーケンスを含むように聴覚検査音を設定するように動作可能である、請求項２に記載のシステム。
【請求項５】
前記音設定インターフェースは、前記シーケンスにおいて各表示時に前記検査音の少なくとも１つの特性を変更するために、ユーザによって定義されたシーケンスルールを登録するように動作可能である、請求項４に記載のシステム。
【請求項６】
前記シーケンスルールは、応答手順によって登録された、前記シーケンス後の前記検査音表示の少なくとも１つの特性が、前記シーケンス前の前記検査音表示への被験者応答に応答するように、定義される、請求項５に記載のシステム。
【請求項７】
前記聴覚検査プロトコルは、後続の解析のための被験者応答の収集および記憶を指示するように動作可能であるコンピュータ実行可能な命令を含む、請求項１に記載のシステム。
【請求項８】
前記聴覚検査プロトコルは、前記被験者の聴覚を評価するために、収集された被験者応答の解析を行うように実行可能なコンピュータ実行可能な命令を含み、前記解析のフォーマットは、ユーザによって登録された応答のタイプで定義され、かつ関連付けられる、請求項７に記載のシステム。
【請求項９】
前記解析は、前記解析の結果のグラフまたは表の表示を生成することを含む、請求項８に記載のシステム。
【請求項１０】
前記コンピュータシステムは、前記収集された被験者応答の前記解析の結果に応答する検査音プロトコルでエンコードされた前記検査音の１以上の特性を調整するように動作可能である、請求項８に記載のシステム。
【請求項１１】
前記コンピュータシステムに含まれるコンピュータ実行可能な命令は、データベース内で、生成された聴覚検査プロトコルを被験者応答と関連付けるように実行可能であり、前記被験者応答は、被験者の集団のうちの異なる被験者によって行われた、前記生成された聴覚検査プロトコルの複数の実行から収集される、請求項７に記載のシステム。
【請求項１２】
前記コンピュータシステムに含まれるコンピュータ実行可能な命令は、前記生成された聴覚検査プロトコルに対する前記被験者の集団から収集された前記被験者応答を解析するための統計データを提供するように実行可能である、請求項１１に記載のシステム。
【請求項１３】
前記視覚表示は、ユーザに第１の複数のアイコンを提供し、各アイコンは、音のタイプを表し、前記ユーザは、前記被験者への伝搬のための前記検査音の所望の音のタイプを選択するためにそのアイコンを操作する、請求項１に記載のシステム。
【請求項１４】
前記視覚表示は、前記ユーザに第２の複数のアイコンを提供し、各アイコンは、前記検査音への被験者応答を登録するための被験者応答タイプを表し、前記ユーザは、所望の被験者応答タイプを選択するためにその第２の複数のアイコンから操作する、請求項１に記載のシステム。
【請求項１５】
前記ユーザのアイコン操作は、所望のアイコンを選択を示す前記視覚表示上の位置へドラッグすること、所望のアイコンをマウスでクリックすること、所望のアイコンを前記マウスでダブルクリックすること、所望のアイコンによって占有されたタッチスクリーンの領域をタップすること、所望のアイコンによって占有された前記タッチスクリーンの領域をダブルタップすること、所望のアイコンの隣のチェックボックスを前記マウスでクリックすること、所望のアイコンの隣のチェックボックスによって占有された前記タッチスクリーンの領域をタップすることからなる群から選択される、請求項１３または請求項１４に記載のシステム。
【請求項１６】
前記コンピュータシステムは、分散システムである、請求項１に記載のシステム。
【請求項１７】
前記コンピュータシステムは、
前記視覚表示を生成する第１のコンピュータデバイス、および
検査ファイルを格納する検査ファイル・データベース
を備える、請求項１６に記載のシステム。
【請求項１８】
前記検査ファイル・データベースは、前記第１のコンピュータデバイスに対して遠隔位置にある、請求項１７に記載のシステム。
【請求項１９】
前記被験者へ検査ファイルにおいて定義されるような前記検査音を伝えるための音響システム、および
検査音のシーケンスへの前記被験者の応答を、前記聴覚検査プロトコルにおいて定義された前記被験者応答タイプに従って、登録するための検査応答プロトコル設計システムをさらに備える、請求項１６に記載のシステム。
【請求項２０】
前記音響システムは、イヤフォン、インサートイヤフォン、骨伝導振動子およびオープンフィールド・スピーカからなる群からの少なくとも１つの選択を備える、請求項９または請求項１９に記載のシステム。
【請求項２１】
前記検査応答プロトコル設計システムは、キーボード、マウス、タッチスクリーン、マイクロフォン、カメラおよびジェスチャ認識システムからなる群からの少なくとも１つのコンピュータ入力デバイスを備える、請求項１９に記載のシステム。
【請求項２２】
前記音響システムおよび前記検査応答プロトコル設計システムは、前記検査ファイル・データベースに対して遠隔位置にある、請求項１９に記載のシステム。
【請求項２３】
前記音響システムおよび前記検査応答プロトコル設計システムは、第２のコンピュータデバイスに収容されるか、またはそれに作動的に接続された、請求項１９に記載のシステム。
【請求項２４】
前記音響システムは、第２のコンピュータデバイスに作動的に接続され、前記検査応答プロトコル設計システムは、第３のコンピュータデバイスに収容されるか、またはそれに作動的に接続された、請求項１９に記載のシステム。
【請求項２５】
前記第３のコンピュータデバイスは、ポータブルコンピュータデバイスである、請求項２４に記載のシステム。
【請求項２６】
前記ポータブルコンピュータデバイスは、タブレットコンピュータ、ハンドヘルドコンピュータおよびスマートフォンからなる群から選択される、請求項２５に記載のシステム。
【請求項２７】
前記音のタイプは、雑音、純音、震音、および発声音からなる群から選択される、請求項１に記載のシステム。
【請求項２８】
前記発声音は、単語、音素、ラガトムおよび文からなる群から選択される、請求項２７に記載のシステム。
【請求項２９】
複数の音のタイプが選択される場合には、前記検査音は、時間的に重複するように提示される複数の検査音成分を含み、各検査音成分は、前記複数の選択された音のタイプのうちの１つにそれぞれ対応する、請求項２７に記載のシステム。
【請求項３０】
前記複数の検査音成分は、その提示が発生音成分の提示に時間的に重複する背景雑音を含む、請求項２９に記載のシステム。
【請求項３１】
前記１以上の特性は、音変換器のタイプ、音の強度、音の持続期間、音の開始のタイミング、モノラール／バイノーラル、および音源の見かけの位置からなる群から選択される、請求項１に記載のシステム。
【請求項３２】
前記応答インターフェースは、提示された検査音に関する質問を表示し、前記質問への前記被験者の回答を登録する、請求項１に記載のシステム。
【請求項３３】
前記回答は、前記被験者を観察する人によって提供され、前記回答を提供することは、前記提示された検査音の前記被験者の特徴付けが参照の特徴付けと一致するか否かを回答すること、および前記被験者が前記提示された検査音を知覚したか否かを回答することからなる群から選択される、請求項３２に記載のシステム。
【請求項３４】
前記回答は、前記被験者によって提供され、前記回答を提供することは、前記検査音の特徴付けを可能な特徴付けの多肢選択から選択すること、前記検査音の特徴付けをテキストフィールドに入力すること、前記提示された検査音が知覚されたか否かを示すアイコンを選択することからなる群から選択される、請求項３２に記載のシステム。
【請求項３５】
前記応答インターフェースは、前記提示された検査音の提示時間と前記質問の前記回答のための応答時間との間の時間の遅延を記録するように動作可能である、請求項３４に記載のシステム。
【請求項３６】
前記応答インターフェースは、提示された検査音への前記被験者の応答の記録を取得するためのオーディオまたはビデオ記録装置に動作可能に接続される、請求項１に記載のシステム。
【請求項３７】
前記聴覚検査プロトコルで構成されるコンピュータ実行可能な命令は、被験者の応答と関連付けられた前記記録から特徴を検出するようにさらに実行可能である、請求項３６に記載のシステム。
【請求項３８】
前記被験者応答は、前記検査音が知覚されたか否かを示することを含み、前記被験者応答に対して応答する前記検査音のパラメータは、前記検査音の強さである、請求項６に記載のシステム。
【請求項３９】
前記被験者応答は、前記検査音の知覚された音源が前記被験者の右または左に位置するかどうかを示することを含み、前記検査音のパラメータは、右耳へ伝えられた前記検査音の強さに比べた左耳へ伝えられた前記検査音の前記強さである、請求項６に記載のシステム。
【請求項４０】
前記被験者応答は、発声語を正しくまたは誤って識別することを含み、前記検査音のパラメータは、背景雑音の強さに比べた前記発声語の強さである、請求項６に記載のシステム。
【請求項４１】
コンピュータが実行可能な聴覚検査プロトコルを定義するコンピュータ・ベースの方法であって、前記方法は、
複数のユーザが選択可能な音のタイプをディスプレイ上に表示するステップと、
表示された前記複数のユーザが選択可能な音のタイプからユーザによって選択された音のタイプを登録するステップと、
登録された前記音のタイプに対する複数の選択可能な被験者応答タイプを前記ディスプレイ上に表示するステップと、
登録された前記音のタイプを、前記複数の選択可能な被験者応答タイプから前記ユーザにより選択された被験者応答タイプと関連付けて登録するステップと、
被験者の聴覚を検査するためのコンピュータ実行可能なかつポータブルな聴覚検査プロトコルを生成するステップと、
を備え、
前記聴覚検査プロトコルは、
登録された被験者の前記音のタイプに基づいて検査音をエンコードし、前記検査音を被験者に可聴にするように処理可能なデジタルコードと、
登録された前記被験者応答タイプに基づき、前記被験者の応答を前記検査音に登録するためのコンピュータベースの応答インターフェースを生成するように実行可能なコンピュータ実行可能な命令と、を含む、
方法。
【請求項４２】
選択された前記音のタイプに基づいて、前記検査音の１以上の特性を設定するための音設定インターフェースを表示するステップと、
前記音設定インターフェースにより設定された前記検査音の１以上の特性に基づいて前記聴覚検査プロトコルにおいて前記検査音をエンコードステップと、
をさらに備える、請求項４１に記載の方法。
【請求項４３】
選択された音のタイプに基づいて複数の選択可能な被験者応答タイプを表示するステップをさらに備える、請求項４１に記載の方法。
【請求項４４】
前記音設定インターフェースは、複数の検査音表示のシーケンスを含むように聴覚検査音を設定するように動作可能である、請求項４２に記載の方法。
【請求項４５】
前記音設定インターフェースは、前記シーケンスにおいて各表示時に前記検査音の少なくとも１つの特性を変更するために、ユーザによって定義されたシーケンスルールを登録するように動作可能である、請求項４４に記載の方法。
【請求項４６】
前記シーケンスルールは、応答手順によって登録される、前記シーケンス後の前記検査音表示の少なくとも１つの特性が、前記シーケンス前の前記検査音表示への被験者応答に応答するように、定義される、請求項４５に記載の方法。
【請求項４７】
前記聴覚検査プロトコルは、後続の解析のための被験者応答の収集および記憶を指示するように動作可能であるコンピュータ実行可能な命令を含む、請求項４１に記載の方法。
【請求項４８】
前記聴覚検査プロトコルは、前記被験者の聴覚を評価するために、収集された被験者応答の解析を行うように実行可能なコンピュータ実行可能な命令を含み、前記解析のフォーマットは、ユーザによって登録された応答のタイプで定義され、かつ関連付けられる、請求項４７に記載の方法。
【請求項４９】
前記解析は、前記解析の結果のグラフまたは表の表示を生成することを含む、請求項４８に記載の方法。
【請求項５０】
コンピュータシステムは、前記収集された被験者応答の前記解析の結果に応答する検査音プロトコルでエンコードされた前記検査音の１以上の特性を調整するように動作可能である、請求項４８に記載の方法。
【請求項５１】
データベース内で、生成された聴覚検査プロトコルを被験者応答と関連付けるステップをさらに備え、前記被験者応答は、被験者の集団のうちの異なる被験者によって行われた、前記生成された聴覚検査プロトコルの複数の実行から収集される、請求項４７に記載の方法。
【請求項５２】
前記生成された聴覚検査プロトコルに対する前記被験者の集団から収集された前記被験者応答を解析するステップをさらに備える、請求項５１に記載の方法。
【請求項５３】
第１の複数のアイコンを備える視覚表示を生成するために命令セットにアクセスするステップであって、各アイコンは、被験者へ伝えるための検査音を定義する音のタイプを表す、ステップと、
所望の音のタイプを選択して前記検査音を定義するために、前記第１の複数のアイコンから前記所望の音のタイプを表す少なくとも１つのアイコンの操作を登録するステップと、
をさらに備える、請求項４１に記載の方法。
【請求項５４】
視覚表示に第２の複数のアイコンを生成するために命令セットにアクセスするステップであって、各アイコンは、被験者応答タイプを表す、ステップと、
前記第２の複数のアイコンから所望の被験者応答タイプを表す少なくとも１つのアイコンの操作を登録するステップと
を備える、請求項４１に記載の方法。
【請求項５５】
１つ以上の所望のアイコンの前記操作は、所望のアイコンを選択を示す前記表示上の位置へドラッグするステップ、所望のアイコンをマウスでクリックするステップ、所望のアイコンを前記マウスでダブルクリックするステップ、所望のアイコンによって占有されたタッチスクリーンの領域をタップするステップ、所望のアイコンによって占有された前記タッチスクリーンの領域をダブルタップするステップ、所望のアイコンの隣のチェックボックスを前記マウスでクリックするステップ、所望のアイコンの隣のチェックボックスによって占有されたタッチスクリーン領域をタップするステップからなる群から選択された動作を備える、請求項５３または請求項５４に記載の方法。
【請求項５６】
前記音のタイプは、雑音、純音、震音および発声音からなる群から選択される、請求項４１に記載の方法。
【請求項５７】
前記発声音は、単語、音素、ラガトムおよび文からなる群から選択される、請求項５６に記載の方法。
【請求項５８】
複数の音のタイプが選択される場合には、前記検査音は、時間的に重複するように提示される複数の検査音成分を含み、各検査音成分は、前記複数の選択される音のタイプのうちの１つにそれぞれ対応する、請求項４１に記載の方法。
【請求項５９】
前記複数の検査音成分は、その提示が発生音成分の提示に時間的に重複する背景雑音を含む、請求項５８に記載の方法。
【請求項６０】
前記１以上の特性は、音変換器のタイプ、音の強度、音の持続期間、音の開始のタイミング、モノラール／バイノーラル、および音源の見かけの位置からなる群から選択される、請求項４１に記載の方法。
【請求項６１】
前記応答インターフェースは、伝えられた検査音に関する質問を表示し、前記質問に対する前記被験者の回答を登録する、請求項４１に記載の方法。
【請求項６２】
前記回答は、前記被験者を観察する人によって提供され、前記回答を前記提供するステップは、提示された検査音の前記被験者の特徴付けが参照の特徴付けと一致するか否かを回答するステップ、および前記被験者が前記提示された検査音を知覚したか否かを回答するステップからなる群から選択される、請求項６１に記載の方法。
【請求項６３】
前記回答は、前記被験者によって提供されて、前記検査音の特徴付けを可能な特徴付けの多肢選択から選択するステップ、前記検査音の特徴付けをテキストフィールドに入力するステップ、提示された検査音が知覚されたか否かを示すアイコンを選択するステップからなる群から選択される、請求項６１に記載の方法。
【請求項６４】
前記応答インターフェースは、前記検査音の提示時間と前記質問の前記回答のための応答時間との間の時間の遅延を記録するように動作可能である、請求項６３に記載の方法。
【請求項６５】
前記応答インターフェースは、提示された検査音への前記被験者の応答の記録を取得するためのオーディオまたはビデオ記録装置に動作可能に接続される、請求項４１に記載の方法。
【請求項６６】
前記聴覚検査プロトコルで構成されるコンピュータ実行可能な命令は、被験者の応答と関連付けられた前記記録から特徴を検出するようにさらに実行可能である、請求項６５に記載の方法。
【請求項６７】
被験者応答は、前記検査音が知覚されたか否かを示すことを含み、前記被験者応答に対して応答する前記検査音のパラメータは、前記検査音の強さである、請求項４５に記載の方法。
【請求項６８】
被験者応答は、前記検査音の知覚された音源が前記被験者の右または左に位置するかどうかを示すことを含み、前記検査音のパラメータは、右耳へ伝えられた前記検査音の強さに比べた左耳へ伝えられる前記検査音の前記強さである、請求項４５に記載の方法。
【請求項６９】
被験者応答は、発声語を正しくまたは誤って識別することを含み、前記検査音のパラメータは、背景雑音の強さに比べた前記発声語の強さである、請求項４５に記載の方法。
【国際調査報告】
2017529198.tif 000026
2017529198.tif 000027